(57)【要約】【課題】複数の視聴モードで地上波ディジタル放送波を視聴可能な場合に、地上波ディジタル放送波の受信状態を確認しつつ、地上波ディジタル放送波の視聴モードを切り替えることができるようにする。【解決手段】本発明に係る情報処理装置においては、地上波ディジタルフルセグ放送波受信部は第１の放送波を受信し、地上波ディジタルワンセグ放送波受信部は第２の放送波を受信し、制御部は、受信された第１の放送波の受信状態を検出し、受信された前記第２の放送波の受信状態を検出し、メインディスプレイは、検出された第１の放送波の受信状態に関する情報と検出された第２の放送波の受信状態に関する情報のうちの少なくとも１つ以上に関する情報を表示することができる。【選択図】  図４
2010278554.tif 000002
【特許請求の範囲】
【請求項１】
第１の放送波を受信する第１の受信手段と、
第２の放送波を受信する第２の受信手段と、
前記第１の受信手段により受信された前記第１の放送波の受信状態を検出する第１の検出手段と、
前記第２の受信手段により受信された前記第２の放送波の受信状態を検出する第２の検出手段と、
前記第１の検出手段により検出された前記第１の放送波の受信状態に関する情報と前記第２の検出手段により検出された前記第２の放送波の受信状態に関する情報のうちの少なくとも１つ以上に関する情報を表示する表示手段とを備えることを特徴とする情報処理装置。
【請求項２】
前記第１の検出手段は、第１の時間ごとに前記第１の放送波の受信状態を検出し、前記第２の検出手段は、前記第１の時間と異なる第２の時間ごとに前記第２の放送波の受信状態を検出することを特徴とする請求項１に記載の情報処理装置。
【請求項３】
前記第１の検出手段により受信状態が検出される前記第１の放送波のチャネルと、前記第２の検出手段により受信状態が検出される前記第２の放送波のチャネルは同一であることを特徴とする請求項１に記載の情報処理装置。
【請求項４】
第１の放送波を受信する第１の受信手段と、
第２の放送波を受信する第２の受信手段と、
前記第１の受信手段により受信された前記第１の放送波の受信状態を検出する第１の検出手段と、
前記第２の受信手段により受信された前記第２の放送波の受信状態を検出する第２の検出手段と、
前記第１の放送波を視聴する視聴モードと前記第２の放送波を視聴する視聴モードのいずれかへの切り替え要求が受け付けられた場合、前記第１の検出手段または前記第２の検出手段を用いて検出される切り替え先の視聴モードにおける放送波の受信状態が所定の基準値よりも大きいか否かを判定する判定手段と、
前記判定手段により切り替え先の視聴モードにおける放送波の受信状態が所定の基準値よりも大きいと判定された場合、前記切り替え要求に従い、前記第１の放送波または前記第２の放送波の視聴モードに切り替える切替手段とを備えることを特徴とする情報処理装置。
【請求項５】
前記切替手段は、前記判定手段により切り替え先の視聴モードにおける放送波の受信状態が所定の基準値以下であると判定された場合、前記切り替え要求に従った前記第１の放送波または前記第２の放送波の視聴モードへの切り替えを行わないことを特徴とする請求項４に記載の情報処理装置。
【発明の詳細な説明】
【技術分野】
【０００１】
本発明は情報処理装置に係り、特に、複数の視聴モードで地上波ディジタル放送波を視聴することができるようにした情報処理装置に関する。
【背景技術】
【０００２】
近年、携帯電話機には、単なる通話による通信機能だけでなく、アドレス帳機能、基地局やインターネットなどのネットワークを介したメール機能や、Ｗｅｂページなどを閲覧することが可能なブラウザ機能、さらにはオーディオデータを聞くことができる音楽制御機能や、地上波ディジタル放送波を受信することができる機能などが搭載されるようになってきている。
【０００３】
放送局から送波される地上波ディジタル放送波には、地上波ディジタルワンセグ放送波と地上波ディジタルフルセグ放送波の２種類の放送波がある。最近では、地上波ディジタルワンセグ放送波と地上波ディジタルフルセグ放送波のいずれも受信することが可能な携帯電話機が提案されている。ユーザが携帯電話機で地上波ディジタルワンセグ放送波を視聴する場合、地上波ディジタル放送波を視聴する視聴モードが、携帯電話機にて地上波ディジタルワンセグ放送波を視聴するための視聴モードに切り替えられる。また、ユーザが携帯電話機で地上波ディジタルフルセグ放送波を視聴する場合、地上波ディジタル放送波を視聴する視聴モードが、携帯電話機にて地上波ディジタルフルセグ放送波を視聴するための視聴モードに切り替えられる。
【発明の概要】
【発明が解決しようとする課題】
【０００４】
しかしながら、ユーザが地上波ディジタルワンセグ放送波と地上波ディジタルフルセグ放送波のいずれかを視聴している最中に、ユーザは、他の放送波の受信状態を知ることができなかった。すなわち、例えばユーザが地上波ディジタルワンセグ放送波を視聴している最中に、ユーザは、地上波ディジタルフルセグ放送波の受信状態を知ることができなかった。
【０００５】
そのため、ユーザは、地上波ディジタル放送波を視聴する視聴モードを、他の放送波を視聴するモードに切り替えた後にはじめて他の放送波の受信状態を知ることしかできなかった。具体的には、ユーザが地上波ディジタルワンセグ放送波を視聴する場合、ユーザは、地上波ディジタル放送波を視聴する視聴モードを、地上波ディジタルフルセグ放送波を視聴するモードに切り替えた後にはじめて地上波ディジタルフルセグ放送波の受信状態を知ることになる。
【０００６】
他の放送波を視聴するモードに切り替えた後に他の放送波の受信状態が良好ではない場合、元の放送波を視聴する視聴モードに切り替え直すことも考えられるが、地上波ディジタル放送波の視聴モードの切り替えには数秒の時間を要するため、地上波ディジタル放送波の視聴モードの切り替えに伴って映像と音声をまったく出力することができない期間が生じてしまう。
【０００７】
本発明は、このような状況に鑑みてなされたものであり、複数の視聴モードで地上波ディジタル放送波を視聴可能な場合に、地上波ディジタル放送波の受信状態を確認しつつ、地上波ディジタル放送波視聴モードを好適に切り替えることができる情報処理装置を提供することを目的とする。
【課題を解決するための手段】
【０００８】
本発明の情報処理装置は、上述した課題を解決するために、第１の放送波を受信する第１の受信手段と、第２の放送波を受信する第２の受信手段と、第１の受信手段により受信された第１の放送波の受信状態を検出する第１の検出手段と、第２の受信手段により受信された第２の放送波の受信状態を検出する第２の検出手段と、第１の検出手段により検出された第１の放送波の受信状態に関する情報と第２の検出手段により検出された第２の放送波の受信状態に関する情報のうちの少なくとも１つ以上に関する情報を表示する表示手段とを備えることを特徴とする。
【０００９】
本発明の情報処理装置は、上述した課題を解決するために、第１の放送波を受信する第１の受信手段と、第２の放送波を受信する第２の受信手段と、第１の受信手段により受信された第１の放送波の受信状態を検出する第１の検出手段と、第２の受信手段により受信された第２の放送波の受信状態を検出する第２の検出手段と、第１の放送波を視聴する視聴モードと第２の放送波を視聴する視聴モードのいずれかへの切り替え要求が受け付けられた場合、第１の検出手段または第２の検出手段を用いて検出される切り替え先の視聴モードにおける放送波の受信状態が所定の基準値よりも大きいか否かを判定する判定手段と、判定手段により切り替え先の視聴モードにおける放送波の受信状態が所定の基準値よりも大きいと判定された場合、切り替え要求に従い、第１の放送波または第２の放送波の視聴モードに切り替える切替手段とを備えることを特徴とする。
【発明の効果】
【００１０】
本発明によれば、複数の視聴モードで地上波ディジタル放送波を視聴可能な場合に、地上波ディジタル放送波の受信状態を確認しつつ、地上波ディジタル放送波の視聴モードを切り替えることができる。
【図面の簡単な説明】
【００１１】
【図１】本発明に係る情報処理装置として適用可能な携帯電話機の外観の構成を示す図。
【図２】本発明に係る情報処理装置に適用可能な携帯電話機の他の外観の構成を示す図。
【図３】本発明に係る情報処理装置に適用可能な携帯電話機の内部の構成を示すブロック図。
【図４】図３の携帯電話機における受信状態表示処理を説明するフローチャート。
【図５】（Ａ）乃至（Ｃ）は、地上波ディジタル放送波の視聴中にメインディスプレイに表示される表示画面の表示例を示す図。
【図６】図３の携帯電話機における他の受信状態表示処理を説明するフローチャート。
【図７】図３の携帯電話機における他の受信状態表示処理を説明するフローチャート。
【図８】図３の携帯電話機における他の受信状態表示処理を説明するフローチャート。
【図９】図３の携帯電話機における視聴モード切替処理を説明するフローチャート。
【図１０】図３の携帯電話機における他の視聴モード切替処理を説明するフローチャート。
【図１１】図３の携帯電話機における他の視聴モード切替処理を説明するフローチャート。
【図１２】図３の携帯電話機における他の視聴モード切替処理を説明するフローチャート。
【図１３】図３の携帯電話機における他の受信状態表示処理を説明するフローチャート。
【図１４】（Ａ）乃至（Ｃ）は、地上波ディジタル放送波の視聴中でない場合にメインディスプレイに表示される表示画面の表示例を示す図。
【図１５】図３の携帯電話機における他の受信状態表示処理を説明するフローチャート。
【図１６】図３の携帯電話機における視聴モード起動処理を説明するフローチャート。
【図１７】図３の携帯電話機における他の視聴モード起動処理を説明するフローチャート。
【図１８】図３の携帯電話機における視聴モード起動処理を説明するフローチャート。
【発明を実施するための形態】
【００１２】
以下、本発明の実施の形態について、図面を参照しながら説明する。図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１３】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１４】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１５】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１６】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１７】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１８】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。
【００１９】
なお、第１の筐体１２は、背面側に図示しないバッテリパックが挿着されており、終話・電源キーがオン状態になると、バッテリパックから各回路部に対して電力が供給されて動作可能な状態に起動する。
【００２０】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図３のスピーカ５０）も設けられている。
【００２１】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。
【００２２】
図２は、本発明に係る情報処理装置に適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２３】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２４】
図３は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２５】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２６】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２７】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２８】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２９】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３０】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３１】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３２】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３３】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３４】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３５】
記憶部４２は、例えば、電気的に書換えや消去が可能な不揮発性メモリであるフラッシュメモリ素子やＨＤＤ（Hard Disc Drive）などからなり、制御部４１のＵＩ処理ＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３６】
また、地上波ディジタル放送波受信部５３は、地上波ディジタルフルセグ放送波受信部５３−ａと地上波ディジタルワンセグ放送波受信部５３−ｂからなる。地上波ディジタルフルセグ放送波受信部５３−ａは、地上波ディジタルフルセグ放送波用の受信アンテナ５１−ａを介して図示せぬ放送局から地上波ディジタルフルセグ放送波を受信する。また、地上波ディジタルワンセグ放送波受信部５３−ｂは、地上波ディジタルワンセグ放送波用の受信アンテナ５１−ｂを介して図示せぬ放送局から地上波ディジタルワンセグ放送波を受信する。地上波ディジタルフルセグ放送波用の受信アンテナ５１−ａと地上波ディジタルフルセグ放送波受信部５３−ａとの間には、地上波ディジタルフルセグ放送波用の受信アンテナ５１−ａが接続されているか否かを検出する検出部５２−ａが設けられており、制御部４１は、検出部５２−ａを用いて、地上波ディジタルフルセグ放送波用の受信アンテナ５１−ａが接続されているか否かを検出することができる。また、地上波ディジタルワンセグ放送波用の受信アンテナ５１−ｂと地上波ディジタルワンセグ放送波受信部５３−ｂとの間には、地上波ディジタルワンセグ放送波用の受信アンテナ５１−ｂが接続されているか否かを検出する検出部５２−ｂが設けられており、制御部４１は、検出部５２−ｂを用いて、地上波ディジタルワンセグ放送波用の受信アンテナ５１−ｂが接続されているか否かを検出することができる。なお、地上波ディジタル放送波受信部５３は、制御部４１の制御に従い、地上波ディジタルフルセグ放送波と地上波ディジタルワンセグ放送波のいずれか一方のみならず、両方を同時に受信することができる。
【００３７】
地上波ディジタル放送波受信部５３は、受信された地上波ディジタルフルセグ放送波や地上波ディジタルワンセグ放送波に基づくＴＳ（Transport Stream）信号を地デジ処理部５４に供給する。地デジ処理部５４は、分離部５５と地デジデコーダ部５６からなる。地デジ処理部５４の分離部５５は、地上波ディジタル放送波受信部５３にて地上波ディジタルフルセグ放送波や地上波ディジタルワンセグ放送波が受信された場合、地上波ディジタル放送波受信部５３からの地上波ディジタルフルセグ放送波または地上波ディジタルワンセグ放送波に基づくＴＳ信号から、音声データと映像データに関するＥＳ（Elementary Stream）にそれぞれ分離する。地デジ処理部５４の地デジデコーダ部５６は、分離された音声データを地デジデコーダ部５６内の音声デコーダ（図示せず）にて所定の復号化方式でデコードするとともに、分離された映像データを地デジデコーダ部５６内の映像デコーダ（図示せず）にて所定の復号化方式でデコードし、デコード後のディジタル音声信号とディジタル動画像信号を制御部４１に供給する。
【００３８】
図４のフローチャートを参照して、図３の携帯電話機１における受信状態表示処理について説明する。なお、図４の受信状態表示処理の場合、携帯電話機１を用いてユーザは地上波ディジタルフルセグ放送波を視聴中であるものとする。勿論、本発明は、地上波ディジタルワンセグ放送波の視聴中にも適用することができる。
【００３９】
ステップＳ１において、制御部４１は、時計回路４７を用いて、現在視聴中の地上波ディジタル放送波（地上波ディジタルフルセグ放送波）の受信状態を前回検出してから第１の時間（例えば６０秒間）経過したか否かを判定する。ステップＳ１において制御部４１が、現在視聴中の地上波ディジタル放送波（地上波ディジタルフルセグ放送波）の受信状態を前回検出してから第１の時間経過したと判定した場合、制御部４１はステップＳ２で、地上波ディジタルフルセグ放送波受信部５３−ａを制御し、現在視聴中の地上波ディジタル放送波（地上波ディジタルフルセグ放送波）の受信状態（受信レベル）を検出する。具体的には、制御部４１が現在視聴中の地上波ディジタル放送波（地上波ディジタルフルセグ放送波）の受信状態を検出する場合、制御部４１は、地上波ディジタルフルセグ放送波受信部５３−ａを制御し、地上波ディジタルフルセグ放送波を受信した際の電界強度を取得し、取得された電界強度によって、現在視聴中の地上波ディジタルフルセグ放送波の受信状態を検出する。例えば地上波ディジタルフルセグ放送波や地上波ディジタルワンセグ放送波の受信状態（受信レベル）が５段階で区分けされる場合、制御部４１は、現在視聴中の地上波ディジタルフルセグ放送波の受信状態が５段階中の何段階目であるかを検出する。なお、現在視聴中の地上波ディジタル放送波以外の他の放送波の受信状態を良好か不良かの２段階で検出するようにしてもよい。
【００４０】
ステップＳ３において、制御部４１は、メインディスプレイ１７を制御し、現在視聴中の地上波ディジタル放送波（地上波ディジタルフルセグ放送波）の受信状態を表示する。図５（Ａ）は、メインディスプレイ１７に表示される、現在視聴中の地上波ディジタル放送波（地上波ディジタルフルセグ放送波）の受信状態を示すレベルバーの表示例を示している。図５（Ａ）の場合、メインディスプレイ１７の中央の表示領域に地上波ディジタルフルセグ放送波に基づく画像が表示されるとともに、メインディスプレイ１７の右下の表示領域に、現在視聴中の地上波ディジタルフルセグ放送波の受信状態が５段階中５段階であることを示すレベルバーが表示されている。これにより、ユーザは、現在視聴中の地上波ディジタルフルセグ放送波の受信状態を第１の時間ごとに知ることができる。
【００４１】
ステップＳ４において、制御部４１は、時計回路４７を用いて、現在視聴中の地上波ディジタル放送波（地上波ディジタルフルセグ放送波）以外の放送波の受信状態を前回検出してから第２の時間（例えば３０秒間）経過したか否かを判定する。ステップＳ４において制御部４１が、現在視聴中の地上波ディジタル放送波（地上波ディジタルフルセグ放送波）以外の放送波の受信状態を前回検出してから第２の時間経過したと判定した場合、制御部４１はステップＳ５で、地上波ディジタルワンセグ放送波受信部５３−ｂを制御し、現在視聴中の地上波ディジタル放送波（地上波ディジタルフルセグ放送波）以外の放送波の受信状態（受信レベル）を検出する。具体的には、制御部４１が現在視聴中の地上波ディジタルフルセグ放送波以外の地上波ディジタルワンセグ放送波の受信状態を検出する場合、制御部４１は、地上波ディジタルワンセグ放送波受信部５３−ｂを制御し、地上波ディジタルワンセグ放送波を受信した際の電界強度を取得し、取得された電界強度によって制御部４１は、地上波ディジタルワンセグ放送波の受信状態を検出する。
【００４２】
ステップＳ６において、制御部４１は、メインディスプレイ１７を制御し、現在視聴中の地上波ディジタル放送波（地上波ディジタルフルセグ放送波）以外の放送波の受信状態を表示する。図５（Ｂ）は、メインディスプレイ１７に表示される、現在視聴中の地上波ディジタル放送波（地上波ディジタルフルセグ放送波）以外の放送波の受信状態を示すレベルバーの表示例を示している。図５（Ｂ）の場合、メインディスプレイ１７の中央の表示領域に地上波ディジタルフルセグ放送波に基づく画像が表示されるとともに、メインディスプレイ１７の左下の表示領域に、現在視聴中の地上波ディジタルフルセグ放送波以外の地上波ディジタルワンセグ放送波の受信状態が５段階中３段階であることを示すレベルバーが表示されている。これにより、ユーザは、現在視聴中の地上波ディジタルフルセグ放送波以外の地上波ディジタルワンセグ放送波の受信状態を第２の時間ごとに知ることができる。
【００４３】
その後、処理はステップＳ１に戻り、ステップＳ１以降の処理が繰り返し実行される。これにより、所定の周期で、それぞれの地上波ディジタル放送波の受信状態の表示が更新される。
【００４４】
図４の受信状態表示処理では、現在視聴中の地上波ディジタル放送波の受信状態と、現在視聴中の地上波ディジタル放送波以外の他の放送波の受信状態を異なる周期で検出して表示することができる。勿論、両方の放送波の受信状態を同一の周期で検出するようにしてもよい。また、図４の場合、地上波ディジタル放送波の受信状態を５段階のレベルバーで表示するようにしたが、このような場合に限られず、「地上波ディジタルワンセグ放送波の受信状態は５段階中４段階です。」などのメッセージで表示するようにしてもよい。
【００４５】
なお、現在視聴中の地上波ディジタル放送波以外の他の放送波の受信状態を良好か不良かの２段階で検出し、検出された受信状態が良好から不良または不良から良好に変化したと判定した場合にのみ、現在視聴中の地上波ディジタル放送波以外の他の放送波の受信状態を表示するようにしてもよい。この場合における受信状態表示処理は、図６に示される。
【００４６】
図６のフローチャートを参照して、図３の携帯電話機１における他の受信状態表示処理について説明する。
【００４７】
ステップＳ２１において、制御部４１は、時計回路４７を用いて、現在視聴中の地上波ディジタル放送波（地上波ディジタルフルセグ放送波）以外の放送波の受信状態を前回検出してから所定の時間（例えば３０秒間）経過したか否かを判定する。ステップＳ２１において制御部４１が、現在視聴中の地上波ディジタル放送波（地上波ディジタルフルセグ放送波）以外の放送波の受信状態を前回検出してから所定の時間経過したと判定した場合、制御部４１はステップＳ２２で、地上波ディジタルワンセグ放送波受信部５３−ｂを制御し、現在視聴中の地上波ディジタル放送波（地上波ディジタルフルセグ放送波）以外の放送波の受信状態（受信レベル）を検出する。具体的には、制御部４１が現在視聴中の地上波ディジタルフルセグ放送波以外の地上波ディジタルワンセグ放送波の受信状態を検出する場合、制御部４１は、地上波ディジタルワンセグ放送波受信部５３−ｂを制御し、地上波ディジタルワンセグ放送波を受信した際の電界強度を取得し、取得された電界強度によって制御部４１は、地上波ディジタルワンセグ放送波の受信状態を検出する。このとき、制御部４１は、検出された地上波ディジタルワンセグ放送波の受信状態が基準値よりも大きいか否かを判定し、地上波ディジタルワンセグ放送波の受信状態が基準値よりも大きい場合には、地上波ディジタルワンセグ放送波の受信状態が良好であると認識する。一方、地上波ディジタルワンセグ放送波の受信状態が基準値以下である場合には、地上波ディジタルワンセグ放送波の受信状態が不良であると認識する。なお、それぞれの地上波ディジタル放送波の受信状態の安定性をより把握するために、地上波ディジタル放送波の受信状態が一定時間以上基準値よりも大きい場合に地上波ディジタル放送波の受信状態が良好であると認識する一方、地上波ディジタル放送波の受信状態が一定時間以上基準値以下である場合に地上波ディジタル放送波の受信状態が不良であると認識するようにしてもよい。
【００４８】
ステップＳ２３において、制御部４１は、検出された地上波ディジタルワンセグ放送波の受信状態が良好から不良または不良から良好に変化したか否かを判定する。ステップＳ２３において制御部４１が、検出された地上波ディジタルワンセグ放送波の受信状態が良好から不良または不良から良好に変化したと判定した場合、制御部４１はステップＳ２４で、メインディスプレイ１７を制御し、現在視聴中の地上波ディジタル放送波（地上波ディジタルフルセグ放送波）以外の放送波の受信状態の変化を表示する。図５（Ｃ）は、メインディスプレイ１７に表示される、現在視聴中の地上波ディジタル放送波（地上波ディジタルフルセグ放送波）以外の放送波の受信状態の変化を示すメッセージの表示例を示している。図５（Ｃ）の場合、メインディスプレイ１７の中央の表示領域に地上波ディジタルフルセグ放送波に基づく画像が表示されるとともに、メインディスプレイ１７の下部の表示領域に、「地上波ディジタルワンセグ放送波の受信状態が良好に変化しました。」とのメッセージが表示されている。これにより、ユーザは、現在視聴中の地上波ディジタルフルセグ放送波以外の地上波ディジタルワンセグ放送波の受信状態が良好に変化したことを所定の時間ごとに知ることができる。
【００４９】
なお、現在視聴中の地上波ディジタルフルセグ放送波におけるチャネル（例えば１ｃｈなど）と同一のチャネルに関し、現在視聴中の地上波ディジタルフルセグ放送波以外の他の放送波の受信状態を検出して表示するようにしてもよい。この場合における受信状態表示処理は図７に示される。但し、図７の受信状態表示処理は、図４の受信状態表示処理と基本的に同様であり、その説明は繰り返しになるので省略する。これにより、現在視聴中の地上波ディジタルフルセグ放送波の受信状態が不良である場合に、ユーザは、現在視聴中の地上波ディジタルフルセグ放送波におけるチャネル（例えば１ｃｈなど）と同一のチャネルに関し、現在視聴中の地上波ディジタルフルセグ放送波以外の他の放送波の受信状態が良好であることを知った上で、他の放送波の視聴に切り替えを携帯電話機１に指示することができる。これにより、地上波ディジタル放送波の視聴モードの切り替えに伴って映像と音声をまったく出力することができない期間が生じさせることなく、地上波ディジタル放送波の視聴モードを好適に切り替えることができる。勿論、現在視聴中の地上波ディジタルフルセグ放送波以外の他の放送波の受信状態を表示する場合に、そのチャネルを受信状態とともに表示するようにしてもよい。
【００５０】
なお、図７の場合、現在視聴中の地上波ディジタルフルセグ放送波におけるチャネル（例えば１ｃｈなど）と同一のチャネルに関し、現在視聴中の地上波ディジタルフルセグ放送波以外の他の放送波の受信状態を検出して表示するようにしたが、現在視聴中の地上波ディジタルフルセグ放送波におけるチャネル（例えば１ｃｈなど）と同一のチャネルに限定されずに、例えば現在視聴中の地上波ディジタルフルセグ放送波以外の他の放送波における全チャネルの受信状態について検出し、１つ以上チャネルの受信状態が良好であれば、現在視聴中の地上波ディジタルフルセグ放送波以外の他の放送波の受信状態が良好であると判断し、全チャネルの受信状態が不良である場合に、現在視聴中の地上波ディジタルフルセグ放送波以外の他の放送波の受信状態が不良であると判断し、それらの旨を表示するようにしてもよい。以下、この方法を用いた受信状態表示処理を説明する。
【００５１】
図８のフローチャートを参照して、図３の携帯電話機１における他の受信状態表示処理について説明する。
【００５２】
ステップＳ６１において、制御部４１は、時計回路４７を用いて、現在視聴中の地上波ディジタル放送波（地上波ディジタルフルセグ放送波）の受信状態を前回検出してから第１の時間（例えば６０秒間）経過したか否かを判定する。ステップＳ６１において制御部４１が、現在視聴中の地上波ディジタル放送波（地上波ディジタルフルセグ放送波）の受信状態を前回検出してから第１の時間経過したと判定した場合、制御部４１はステップＳ６２で、地上波ディジタルフルセグ放送波受信部５３−ａを制御し、現在視聴中の地上波ディジタル放送波（地上波ディジタルフルセグ放送波）の受信状態（受信レベル）を検出する。具体的には、制御部４１が現在視聴中の地上波ディジタル放送波（地上波ディジタルフルセグ放送波）の受信状態を検出する場合、制御部４１は、地上波ディジタルフルセグ放送波受信部５３−ａを制御し、地上波ディジタルフルセグ放送波を受信した際の電界強度を取得し、取得された電界強度によって、現在視聴中の地上波ディジタルフルセグ放送波の受信状態を検出する。このとき、制御部４１は、検出された地上波ディジタルフルセグ放送波の受信状態が基準値よりも大きいか否かを判定し、地上波ディジタルフルセグ放送波の受信状態が基準値よりも大きい場合には、地上波ディジタルフルセグ放送波の受信状態が良好であると認識する。一方、地上波ディジタルフルセグ放送波の受信状態が基準値以下である場合には、地上波ディジタルフルセグ放送波の受信状態が不良であると認識する。
【００５３】
ステップＳ６３において、制御部４１は、メインディスプレイ１７を制御し、現在視聴中の地上波ディジタル放送波（地上波ディジタルフルセグ放送波）の受信状態が良好であるか不良であるかを表示する。これにより、ユーザは、現在視聴中の地上波ディジタルフルセグ放送波の受信状態が良好であるか不良であるかを第１の時間ごとに知ることができる。
【００５４】
ステップＳ６４において、制御部４１は、時計回路４７を用いて、現在視聴中の地上波ディジタル放送波（地上波ディジタルフルセグ放送波）以外の放送波の受信状態を前回検出してから第２の時間（例えば３０秒間）経過したか否かを判定する。ステップＳ６４において制御部４１が、現在視聴中の地上波ディジタル放送波（地上波ディジタルフルセグ放送波）以外の放送波の受信状態を前回検出してから第２の時間経過したと判定した場合、制御部４１はステップＳ６５で、地上波ディジタルワンセグ放送波受信部５３−ｂを制御し、全チャネルに関し、現在視聴中の地上波ディジタル放送波（地上波ディジタルフルセグ放送波）以外の放送波の受信状態（受信レベル）を検出する。具体的には、制御部４１が現在視聴中の地上波ディジタルフルセグ放送波以外の地上波ディジタルワンセグ放送波の受信状態を検出する場合、制御部４１は、地上波ディジタルワンセグ放送波受信部５３−ｂを制御し、全チャネルに関して地上波ディジタルワンセグ放送波を受信した際の電界強度を取得し、取得された電界強度によって制御部４１は、地上波ディジタルワンセグ放送波の受信状態を検出する。このとき、制御部４１は、検出された地上波ディジタルワンセグ放送波の受信状態が基準値よりも大きいか否かを判定し、地上波ディジタルワンセグ放送波の受信状態が基準値よりも大きい場合には、地上波ディジタルワンセグ放送波の所定のチャネルの受信状態が良好であると認識する。一方、地上波ディジタルワンセグ放送波の受信状態が基準値以下である場合には、地上波ディジタルワンセグ放送波の所定のチャネルの受信状態が不良であると認識する。
【００５５】
ステップＳ６６において、制御部４１は、現在視聴中の地上波ディジタル放送波（地上波ディジタルフルセグ放送波）以外の放送波における１つ以上のチャネルの受信状態が良好であるか否かを判定する。ステップＳ６６において制御部４１が、現在視聴中の地上波ディジタル放送波（地上波ディジタルフルセグ放送波）以外の放送波における１つ以上のチャネルの受信状態が良好であると判定した場合、制御部４１はステップＳ６７で、現在視聴中の地上波ディジタル放送波（地上波ディジタルフルセグ放送波）以外の放送波の受信状態が良好であると認識し、制御部４１はステップＳ６８で、メインディスプレイ１７を制御し、現在視聴中の地上波ディジタル放送波（地上波ディジタルフルセグ放送波）以外の放送波の受信状態が良好であることを表示する。これにより、ユーザは、現在視聴中の地上波ディジタルフルセグ放送波以外の地上波ディジタルワンセグ放送波の受信状態が良好であることを知ることができる。
【００５６】
一方、ステップＳ６６において制御部４１が、現在視聴中の地上波ディジタル放送波（地上波ディジタルフルセグ放送波）以外の放送波における全チャネルの受信状態が不良であると判定した場合、制御部４１はステップＳ６９で、現在視聴中の地上波ディジタル放送波（地上波ディジタルフルセグ放送波）以外の放送波の受信状態が不良であると認識し、制御部４１はステップＳ６８で、メインディスプレイ１７を制御し、現在視聴中の地上波ディジタル放送波（地上波ディジタルフルセグ放送波）以外の放送波の受信状態が不良であることを表示する。これにより、ユーザは、現在視聴中の地上波ディジタルフルセグ放送波以外の地上波ディジタルワンセグ放送波の受信状態が不良であることを知ることができる。
【００５７】
以上のように、図４、および図６乃至図８に示される受信状態表示処理では、地上波ディジタル放送波の受信状態を適宜知ることができ、これに基づいて地上波ディジタル放送波の視聴モードを切り替えることができる。
【００５８】
なお、ユーザ操作によって地上波ディジタル放送波の視聴モードを切り替える要求があった場合に、切り替え先となる視聴モードにおける地上波ディジタル放送波の受信状態を検出し、受信状態が不良である場合、地上波ディジタル放送波の視聴モードを切り替えずに、現在視聴中の地上波ディジタル放送波の視聴を継続するようにしてもよい。この方法を用いた視聴モード切替処理は、図９に示される。
【００５９】
図９のフローチャートを参照して、図３の携帯電話機１における視聴モード切替処理について説明する。なお、図９の受信状態表示処理の場合、携帯電話機１を用いてユーザは地上波ディジタルフルセグ放送波を視聴中であるものとする。勿論、本発明は、地上波ディジタルワンセグ放送波の視聴中にも適用することができる。
【００６０】
ステップＳ９１において、制御部４１は、ユーザにより操作キー１４が操作されることにより、地上波ディジタル放送波の視聴モードの切り替え要求が受け付けられたか否かを判定し、地上波ディジタル放送波の視聴モードの切り替え要求が受け付けられたと判定するまで待機する。ステップＳ９１において地上波ディジタル放送波の視聴モードの切り替え要求が受け付けられたと判定した場合、制御部４１はステップＳ９２で、地上波ディジタル放送波受信部５３を制御し、現在視聴中の地上波ディジタル放送波（地上波ディジタルフルセグ放送波）以外の放送波（すなわち、切り替え先となる地上波ディジタル放送波）の受信状態（受信レベル）を検出する。具体的には、制御部４１が現在視聴中の地上波ディジタルフルセグ放送波以外の地上波ディジタルワンセグ放送波の受信状態を検出する場合、制御部４１は、地上波ディジタルワンセグ放送波受信部５３−ｂを制御し、地上波ディジタルワンセグ放送波を受信した際の電界強度を取得し、取得された電界強度によって制御部４１は、地上波ディジタルワンセグ放送波の受信状態を検出する。このとき、制御部４１は、検出された地上波ディジタルワンセグ放送波の受信状態が基準値よりも大きいか否かを判定し、地上波ディジタルワンセグ放送波の受信状態が基準値よりも大きい場合には、地上波ディジタルワンセグ放送波の所定のチャネルの受信状態が良好であると認識する。一方、地上波ディジタルワンセグ放送波の受信状態が基準値以下である場合には、地上波ディジタルワンセグ放送波の所定のチャネルの受信状態が不良であると認識する。なお、現在視聴中の地上波ディジタル放送波におけるチャネルと同一のチャネルについて受信状態を検出するようにしてもよいし、全チャネルに関して受信状態を検出するようにしてもよい。
【００６１】
ステップＳ９３において、制御部４１は、切り替え先となる地上波ディジタル放送波の受信状態が良好であるか否かを判定する。ステップＳ９３において制御部４１が、切り替え先となる地上波ディジタル放送波の受信状態が良好であると判定した場合、制御部４１はステップＳ９４で、地上波ディジタル放送波の視聴モードを切り替える。すなわち、制御部４１は、地上波ディジタルワンセグ放送波受信部５３−ｂを制御し、地上波ディジタルワンセグ放送波の受信を開始し、地上波ディジタル放送波に基づく画像と音声の出力を開始する。一方、ステップＳ９３において制御部４１が、切り替え先となる地上波ディジタル放送波の受信状態が不良であると判定した場合、制御部４１はステップＳ９５で、地上波ディジタル放送波の視聴モードを切り替えずに、現在視聴中の地上波ディジタル放送波の視聴を継続する。
【００６２】
これにより、切り替え先の地上波ディジタル放送波の受信状態に応じて地上波ディジタル放送波の視聴モードの切り替えを好適に行うことができる。
【００６３】
なお、例えばデータ放送波に基づく情報を表示している場合や、視聴中の地上波ディジタル放送波を録画中である場合には、受信するデータが変更してしまうことを防止するために、たとえ地上波ディジタル放送波の視聴モードの切り替え要求が受け付けられたとしても、地上波ディジタル放送波の視聴モードを切り替えないようにするとともに、切り替えない旨のメッセージを表示するようにしてもよい。この場合における視聴モード切替処理は、図１０に示される。
【００６４】
図１０のフローチャートを参照して、図３の携帯電話機１における他の視聴モード切替処理について説明する。なお、図１０のステップＳ１０１乃至Ｓ１０３、およびステップＳ１０７の処理は、図９のステップＳ９１乃至Ｓ９３、およびステップＳ９５の処理と同様であり、その説明は繰り返しになるので省略する。
【００６５】
ステップＳ１０３において制御部４１が、切り替え先となる地上波ディジタル放送波の受信状態が良好であると判定した場合、制御部４１はステップＳ１０４で、地上波ディジタル放送波に含まれるデータ放送波に基づく情報をメインディスプレイ１７に表示しているか、または視聴中の地上波ディジタル放送波を録画しているか否かを判定する。ステップＳ１０４において制御部４１が、地上波ディジタル放送波に含まれるデータ放送波に基づく情報をメインディスプレイ１７に表示しているか、または視聴中の地上波ディジタル放送波を録画していると判定した場合、制御部４１はステップＳ１０６で、地上波ディジタル放送波の視聴モードを切り替えずに、視聴モードを切り替えない旨をメインディスプレイ１７に表示させる。例えば「現在録画中のため、視聴モードの切り替えはできません。」などのメッセージがメインディスプレイ１７に表示される。一方、ステップＳ１０４において制御部４１が、地上波ディジタル放送波に含まれるデータ放送波に基づく情報をメインディスプレイ１７に表示しておらず、かつ、視聴中の地上波ディジタル放送波を録画していないと判定した場合、処理はステップＳ１０５に進む。
【００６６】
これにより、視聴画面の状態を考慮しつつ、切り替え先の地上波ディジタル放送波の受信状態に応じて地上波ディジタル放送波の視聴モードの切り替えを好適に行うことができる。
【００６７】
なお、ユーザにより視聴モード切り替え専用操作キーが押下された場合、切り替え先の地上波ディジタル放送波の受信状態が不良であったとしても、地上波ディジタル放送波の視聴モードを切り替えるようにしてもよい。この場合における視聴モード切替処理は図１１に示される。
【００６８】
図１１のフローチャートを参照して、図３の携帯電話機１における他の視聴モード切替処理について説明する。なお、図１１のステップＳ１１２乃至Ｓ１１６の処理は、図９のステップＳ９１乃至Ｓ９６の処理と同様であり、その説明は繰り返しになるので省略する。
【００６９】
ステップＳ１１１において、制御部４１は、操作キー１４のうちの視聴モード切り替え専用操作キーが押下されることにより、地上波ディジタル放送波の視聴モードの切り替え要求が受け付けられたか否かを判定する。ステップＳ１１１において制御部４１が、操作キー１４のうちの視聴モード切り替え専用操作キーが押下されることにより、地上波ディジタル放送波の視聴モードの切り替え要求が受け付けられたと判定した場合、処理はステップＳ１１６に進み、地上波ディジタル放送波の視聴モードが切り替えられる。これにより、切り替え先の地上波ディジタル放送波の受信状態が不良であったとしても、地上波ディジタル放送波の視聴モードを強制的に切り替えることができる。
【００７０】
なお、ユーザが地上波ディジタルフルセグ放送波を携帯電話機１で視聴している場合に、地上波ディジタルフルセグ放送波の受信状態を所定の時間（例えば５分間など）ごとに検出し、地上波ディジタルフルセグ放送波の受信状態が不良に変化したとき、地上波ディジタルワンセグ放送波の視聴モードに自動的に切り替えるようにしてもよい。この場合における視聴モード切替処理は、図１２に示される。
【００７１】
図１２のフローチャートを参照して、図３の携帯電話機１における視聴モード切替処理について説明する。なお、図１２の視聴モード切替処理の場合、携帯電話機１を用いてユーザは地上波ディジタルフルセグ放送波を視聴中であるものとする。
【００７２】
ステップＳ１２１において、制御部４１は、地上波ディジタルフルセグ放送波受信部５３−ａを制御し、現在視聴中の地上波ディジタルフルセグ放送波以外の放送波の受信状態（受信レベル）を検出する。ステップＳ１２２において、制御部４１は、地上波ディジタルフルセグ放送波の受信状態が良好であるか否かを判定する。ステップＳ１２２において制御部４１が、地上波ディジタルフルセグ放送波の受信状態が良好であると判定した場合、制御部４１はステップＳ１２３で、地上波ディジタル放送波の視聴モードを切り替えずに、現ザくぃ視聴中の地上波ディジタルフルセグ放送波の視聴を継続する。
【００７３】
一方、ステップＳ１２２において制御部４１が、地上波ディジタルフルセグ放送波の受信状態が不良であると判定した場合、制御部４１はステップＳ１２４で、地上波ディジタル放送波の視聴モードを切り替える。すなわち、制御部４１は、地上波ディジタルワンセグ放送波受信部５３−ｂを制御し、地上波ディジタルワンセグ放送波の受信を開始し、地上波ディジタル放送波に基づく画像と音声の出力を開始する。これにより、現在視聴中の地上波ディジタルフルセグ放送波の受信状態が悪化したときに、自動的に地上波ディジタルワンセグ放送波の視聴モードに切り替えることができる。
【００７４】
なお、図９乃至図１２を用いて説明した視聴モード切替処理の場合、いずれかの地上波ディジタル放送波の視聴モードに切り替えるが、切り替えに伴って映像や音声が途切れることがないように、切り替え先の地上波ディジタル放送波の受信を開始してから地デジ処理部５４におけるデコード処理が開始されることを待ち、切り替え後の画像の準備が整ってからメインディスプレイ１７の表示画面を切り替えるようにしてもよい。これにより、地上波ディジタル放送波の視聴モードの切り替え時にシームレスに表示画面を切り替えることができる。
【００７５】
ところで、ユーザが地上波ディジタル放送波を視聴していない状態で、複数の視聴モード（地上波ディジタルフルセグ放送波の視聴モードと地上波ディジタルワンセグ放送波の視聴モード）におけるそれぞれのラストチャネルの受信状態を検出し、複数の視聴モードのうち受信状態（受信レベル）が良い方の受信状態を表示するようにしてもよい。この場合における受信状態表示処理は図１３に示される。
【００７６】
図１３のフローチャートを参照して、図３の携帯電話機１における他の受信状態表示処理について説明する。なお、図１３の受信状態表示処理の場合、携帯電話機１を用いてユーザは地上波ディジタル放送波を視聴していないものとする。なお、地上波ディジタルフルセグ放送波と地上波ディジタルワンセグ放送波のそれぞれのラストチャネルは、地上波ディジタル放送波の視聴後に例えば記憶部４２などに記憶される。
【００７７】
ステップＳ１３１において、制御部４１は、制御部４１は、地上波ディジタルフルセグ放送波受信部５３−ａを制御し、地上波ディジタルフルセグ放送波のラストチャネルにおける受信状態（受信レベル）を検出する。具体的には、制御部４１が地上波ディジタル放送波（地上波ディジタルフルセグ放送波）のラストチャネルにおける受信状態を検出する場合、制御部４１は、地上波ディジタルフルセグ放送波受信部５３−ａを制御し、地上波ディジタルフルセグ放送波のラストチャネルを受信した際の電界強度を取得し、取得された電界強度によって、地上波ディジタルフルセグ放送波のラストチャネルの受信状態を検出する。例えば地上波ディジタルフルセグ放送波や地上波ディジタルワンセグ放送波の受信状態（受信レベル）が５段階で区分けされる場合、制御部４１は、地上波ディジタルフルセグ放送波のラストチャネルの受信状態が５段階中の何段階目であるかを検出する。
【００７８】
ステップＳ１３２において、制御部４１は、制御部４１は、地上波ディジタルワンセグ放送波受信部５３−ｂを制御し、地上波ディジタルワンセグ放送波のラストチャネルの受信状態を検出する。具体的には、制御部４１が地上波ディジタルフルセグ放送波のラストチャネルの受信状態を検出する場合、制御部４１は、地上波ディジタルワンセグ放送波受信部５３−ｂを制御し、地上波ディジタルワンセグ放送波のラストチャネルを受信した際の電界強度を取得し、取得された電界強度によって、地上波ディジタルワンセグ放送波のラストチャネルの受信状態を検出する。制御部４１は、地上波ディジタルワンセグ放送波のラストチャネルの受信状態が５段階中の何段階目であるかを検出する。
【００７９】
ステップＳ１３３において、制御部４１は、検出された地上波ディジタルフルセグ放送波のラストチャネルの受信状態と地上波ディジタルワンセグ放送波のラストチャネルの受信状態のうち受信状態（受信レベル）が良い方の放送波とその受信状態をメインディスプレイ１７に表示する。例えば、検出された地上波ディジタルフルセグ放送波のラストチャネルの受信状態が５段階中の３段階目であり、かつ、地上波ディジタルワンセグ放送波のラストチャネルの受信状態が５段階中の４段階目である場合、地上波ディジタルワンセグ放送波のラストチャネルの受信状態の方が地上波ディジタルフルセグ放送波のラストチャネルの受信状態よりも良好であることから、制御部４１は、地上波ディジタルワンセグ放送波のラストチャネルの受信状態をメインディスプレイ１７に表示する。図１４は、メインディスプレイ１７に表示される、地上波ディジタルワンセグ放送波のラストチャネルの受信状態を示すレベルバーの表示例を示している。これにより、ユーザは、地上波ディジタル放送波を視聴していない場合に、現在受信状態が良好な放送波を受信状態とともに知ることができる。従って、ユーザは、地上波ディジタル放送波を視聴しようとする場合に、予め受信状態が良好な地上波ディジタル放送波を視聴する視聴モードを指定することができる。なお、図１３の受信状態表示処理は、ユーザが地上波ディジタル放送波を視聴していない場合に所定の時間（例えば１０分間など）ごとに実行するようにしてもよい。
【００８０】
また、複数の視聴モードのうち受信状態（受信レベル）が悪い方の受信状態を表示するようにしてもよい。
【００８１】
なお、ユーザが地上波ディジタル放送波を視聴していない状態で、複数の視聴モード（地上波ディジタルフルセグ放送波の視聴モードと地上波ディジタルワンセグ放送波の視聴モード）におけるプリセットチャネルの受信状態を一定周期ごとに検出し、それぞれの地上波ディジタル放送波における１つ以上のチャネルの受信状態が良好である場合、それぞれの地上波ディジタル放送波が受信可能であると認識し、それぞれの地上波ディジタル放送波が受信可能である旨を表示（通知）する一方、それぞれの地上波ディジタル放送波におけるすべてのチャネルの受信状態が不良である場合、それぞれの地上波ディジタル放送波が受信できないと認識し、それぞれの地上波ディジタル放送波が受信できない旨を表示（通知）するようにする。この場合における受信状態表示処理は、図１５に示される。
【００８２】
図１５のフローチャートを参照して、図３の携帯電話機１における受信状態表示処理について説明する。なお、図１５の受信状態表示処理の場合、携帯電話機１を用いてユーザは地上波ディジタル放送波を視聴していないものとする。また、携帯電話機１において予めプリセットチャネルがそれぞれの地上波ディジタル放送波に関して設定されているものとする。
【００８３】
ステップＳ１５１において、制御部４１は、時計回路４７を用いて、地上波ディジタル放送波の受信状態を前回検出してから所定の時間（例えば１０分間など）経過したか否かを判定する。ステップＳ１５１において制御部４１が、地上波ディジタル放送波の受信状態を前回検出してから所定の時間経過したと判定した場合、制御部４１はステップＳ１５２で、地上波ディジタルフルセグ放送波受信部５３−ａを制御し、プリセットチャネルに関し、地上波ディジタル放送波の受信状態が良好であるか不良であるかを検出する。具体的には、制御部４１が地上波ディジタルフルセグ放送波の受信状態を検出する場合、制御部４１は、地上波ディジタルフルセグ放送波受信部５３−ａを制御し、プリセットチャネルに関し、地上波ディジタルフルセグ放送波を受信した際の電界強度を取得し、取得された電界強度によって地上波ディジタルフルセグ放送波の受信状態が良好であるか不良であるかを検出する。このとき、制御部４１は、検出された地上波ディジタルフルセグ放送波の受信状態が基準値よりも大きいか否かを判定し、地上波ディジタルフルセグ放送波の受信状態が基準値よりも大きい場合には、地上波ディジタルフルセグ放送波の受信状態が良好であると認識する。一方、地上波ディジタルフルセグ放送波の受信状態が基準値以下である場合には、地上波ディジタルフルセグ放送波の受信状態が不良であると認識する。
【００８４】
ステップＳ１５３において、制御部４１は、地上波ディジタルフルセグ放送波におけるプリセットチャネルのうちの１つ以上のチャネルの受信状態が良好であるか否かを判定する。ステップＳ１５３において制御部４１が、地上波ディジタルフルセグ放送波におけるプリセットチャネルのうちの１つ以上のチャネルの受信状態が良好であると判定した場合、制御部４１はステップＳ１５４で、地上波ディジタルフルセグ放送波の受信状態が良好であると認識し、制御部４１はステップＳ１５５で、メインディスプレイ１７を制御し、地上波ディジタルフルセグ放送波の受信状態が良好であることを表示する。図１４（Ｂ）は、メインディスプレイ１７に表示される、地上波ディジタルフルセグ放送波の受信状態を示すメッセージの表示例を示している。図１４（Ｂ）の場合、メインディスプレイ１７の下部の表示領域に、「地上波ディジタルワンセグ放送波の受信状態が良好です。」とのメッセージが表示されている。これにより、ユーザは、地上波ディジタル放送波を視聴していない状態で、地上波ディジタルフルセグ放送波の受信状態が良好であることを知ることができる。
【００８５】
一方、ステップＳ１５３制御部４１が、地上波ディジタルフルセグ放送波におけるプリセットチャネルのうちの１つ以上のチャネルの受信状態が良好であると判定した場合、制御部４１はステップＳ１５６で、地上波ディジタルフルセグ放送波の受信状態が不良であると認識し、制御部４１はステップＳ１５７で、メインディスプレイ１７を制御し、地上波ディジタルフルセグ放送波の受信状態が不良であることを表示する。図１４（Ｃ）は、メインディスプレイ１７に表示される、地上波ディジタルフルセグ放送波の受信状態を示すメッセージの表示例を示している。図１４（Ｃ）の場合、メインディスプレイ１７の下部の表示領域に、「地上波ディジタルワンセグ放送波の受信状態が不良です。」とのメッセージが表示されている。これにより、ユーザは、地上波ディジタルフルセグ放送波の受信状態が不良であることを知ることができる。
【００８６】
次に、ステップＳ１５８において、制御部４１は、地上波ディジタルワンセグ放送波受信部５３−ｂを制御し、プリセットチャネルに関し、地上波ディジタルワンセグ放送波の受信状態が良好であるか不良であるかを検出する。そして、ステップＳ１５９以降の処理によって地上波ディジタルワンセグ放送波の受信状態が良好であるか不良であるかが表示される。なお、ステップＳ１５９乃至Ｓ１６３の処理は、ステップＳ１５３乃至Ｓ１５７の処理と基本的には同様であり、その詳細な説明は省略する。
【００８７】
なお、ユーザの操作によって地上波ディジタル放送波の視聴を開始するとの要求が携帯電話機１にて受け付けられた場合、地上波ディジタルフルセグ放送波と地上波ディジタルワンセグ放送波のそれぞれの受信状態を検出し、受信状態の良い方の放送波の視聴モードを起動するようにしてもよい。この場合における視聴モード起動処理について説明する。
【００８８】
図１６のフローチャートを参照して、図３の携帯電話機１における視聴モード起動処理について説明する。
【００８９】
ステップＳ２０１において、制御部４１は、ユーザの操作によって地上波ディジタル放送波の視聴を開始するとの要求が受け付けられたか否かを判定し、地上波ディジタル放送波の視聴を開始するとの要求が受け付けられたと判定するまで待機する。ステップＳ２０１において制御部４１が、地上波ディジタル放送波の視聴を開始するとの要求が受け付けられたと判定した場合、制御部４１はステップＳ２０２で、地上波ディジタルフルセグ放送波受信部５３−ａを制御し、地上波ディジタルフルセグ放送波の受信状態（受信レベル）を検出する。例えば地上波ディジタルフルセグ放送波や地上波ディジタルワンセグ放送波の受信状態（受信レベル）が５段階で区分けされる場合、制御部４１は、地上波ディジタルフルセグ放送波の受信状態が５段階中の何段階目であるかを検出する。次に、ステップＳ２０３において、制御部４１は、地上波ディジタルワンセグ放送波受信部５３−ｂを制御し、地上波ディジタルワンセグ放送波の受信状態（受信レベル）を検出する。例えば地上波ディジタルフルセグ放送波や地上波ディジタルワンセグ放送波の受信状態（受信レベル）が５段階で区分けされる場合、制御部４１は、地上波ディジタルワンセグ放送波の受信状態が５段階中の何段階目であるかを検出する。なお、ステップＳ２０２とステップＳ２０３の処理の順番を逆にしてもよい。
【００９０】
ステップＳ２０４において、制御部４１は、検出された地上波ディジタルフルセグ放送波と地上波ディジタルワンセグ放送波の受信状態のうち良い方の放送波の視聴モードを起動し、地上波ディジタル放送波の受信を開始し、地上波ディジタル放送波に基づく画像と音声の出力を開始する。例えば、地上波ディジタルフルセグ放送波の受信状態が５段階中の３段階目であり、かつ、地上波ディジタルワンセグ放送波の受信状態が５段階中の１段階目である場合、地上波ディジタルフルセグ放送波の受信状態の方が良い状態であることから、制御部４１は、地上波ディジタルフルセグ放送波受信部５３−ａを制御し、地上波ディジタルフルセグ放送波の受信を開始し、地上波ディジタルフルセグ放送波に基づく画像と音声の出力を開始する。
【００９１】
これにより、より受信状態の良い地上波ディジタル放送波の視聴モードを起動し、視聴処理を開始することができる。
【００９２】
なお、ユーザの操作によって地上波ディジタル放送波の視聴を開始するとの要求が携帯電話機１にて受け付けられた場合、地上波ディジタルフルセグ放送波用の受信アンテナ５１−ａと地上波ディジタルワンセグ放送波用の受信アンテナ５１−ｂが接続されているかを検出部５２−ａと検出部５２−ｂを用いて検出し、接続されているアンテナを用いて地上波ディジタル放送波を受信するようにしてもよい。この場合における視聴モード起動処理について説明する。
【００９３】
図１７のフローチャートを参照して、図３の携帯電話機１における他の視聴モード起動処理について説明する。
【００９４】
ステップＳ２２１において、制御部４１は、ユーザの操作によって地上波ディジタル放送波の視聴を開始するとの要求が受け付けられたか否かを判定し、地上波ディジタル放送波の視聴を開始するとの要求が受け付けられたと判定するまで待機する。ステップＳ２２１において制御部４１が、地上波ディジタル放送波の視聴を開始するとの要求が受け付けられたと判定した場合、制御部４１はステップＳ２２２で、検出部５２−ａを用いて、地上波ディジタルフルセグ放送波用の受信アンテナ５１−ａが接続されているか否かを検出する。次に、ステップＳ２２３において、制御部４１は、検出部５２−ｂを用いて、地上波ディジタルワンセグ放送波用の受信アンテナ５１−ｂが接続されているか否かを検出する。ステップＳ２２４において、制御部４１は、接続されていると検出された受信アンテナを用いた地上波ディジタルフルセグ放送波の視聴モードを起動し、地上波ディジタル放送波の受信を開始し、地上波ディジタル放送波に基づく画像と音声の出力を開始する。例えば地上波ディジタルワンセグ放送波用の受信アンテナ５１−ｂが接続されていると検出された場合、制御部４１は、地上波ディジタルワンセグ放送波受信部５３−ｂを制御し、地上波ディジタルワンセグ放送波の受信を開始し、地上波ディジタルワンセグ放送波に基づく画像と音声の出力を開始する。これにより、すでに受信用アンテナが接続されている状態にある放送波を直ちに視聴することができる。
【００９５】
なお、地上波ディジタルフルセグ放送波用の受信アンテナ５１−ａと地上波ディジタルワンセグ放送波用の受信アンテナ５１−ｂの両方が接続されている場合、高画質な画像を提供する放送波である地上波ディジタルフルセグ放送波の視聴モードを起動するようにしてもよい。この場合における視聴モード起動処理は、図１８に示される。
【００９６】
図１８のフローチャートを参照して、図３の携帯電話機１における他の視聴モード起動処理について説明する。なお、図１８のステップＳ２４１乃至Ｓ２４３、およびステップＳ２４５の処理は、図１７のステップＳ２２１乃至Ｓ２２４の処理と同様であり、その説明は繰り返しになるので省略する。
【００９７】
ステップＳ２４４において、制御部４１は、検出部５２−ａと５２−ｂを用いて両方の受信アンテナが接続されていると検出されたか否かを判定する。ステップＳ２４４において制御部４１が、両方の受信アンテナが接続されていると検出されたと判定した場合、制御部４１はステップＳ２４６で、地上波ディジタルフルセグ放送波受信部５３−ａを制御し、地上波ディジタルフルセグ放送波の受信を開始し、地上波ディジタルフルセグ放送波に基づく画像と音声の出力を開始する。これにより、すでに受信用アンテナが接続されている状態にある放送波を直ちに視聴することができるとともに、両方の受信アンテナが接続されている場合には、高画質な画像を提供する地上波ディジタルフルセグ放送波の視聴モードを優先的に起動することができる。
【００９８】
一方、ステップＳ２４４において制御部４１が、両方の受信アンテナが接続されていると検出されていないと判定した場合、処理はステップＳ２４５に進み、制御部４１は、接続されていると検出された受信アンテナを用いた地上波ディジタルフルセグ放送波の視聴モードを起動する。
【００９９】
なお、本発明の実施形態において説明した一連の処理は、ソフトウェアにより実行させることもできるが、ハードウェアにより実行させることもできる。
【０１００】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【０１０１】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、５０…スピーカ、５１−ａ…地上波ディジタルフルセグ放送波用の受信アンテナ、５１−ｂ…地上波ディジタルフルセグ放送波用の受信アンテナ、５２（５２−ａと５２−ｂ）…検出部、５３−ａ…地上波ディジタルフルセグ放送波受信部、５３−ｂ…地上波ディジタルフルセグ放送波受信部、５４…地デジ処理部、５５…分離部、５６…地デジデコーダ部。
【図１】
2010278554.tif 000003
【図２】
2010278554.tif 000004
【図３】
2010278554.tif 000005
【図４】
2010278554.tif 000006
【図５】
2010278554.tif 000007
【図６】
2010278554.tif 000008
【図７】
2010278554.tif 000009
【図８】
2010278554.tif 000010
【図９】
2010278554.tif 000011
【図１０】
2010278554.tif 000012
【図１１】
2010278554.tif 000013
【図１２】
2010278554.tif 000014
【図１３】
2010278554.tif 000015
【図１４】
2010278554.tif 000016
【図１５】
2010278554.tif 000017
【図１６】
2010278554.tif 000018
【図１７】
2010278554.tif 000019
【図１８】
2010278554.tif 000020